(57)【要約】【課題】電気錠を低コストで実現する。【解決手段】電気錠をアダプター本体Ａと、前記アダプター本体Ａへ施錠・解錠信号を送信するリモコンＲとで構成する。前記アダプター本体Ａは、ドアに設けられたサムターン錠Ｓのつまみ部分Ｌに嵌まるコの字型を有する係合手段Ｃと、その係合手段Ｃを解錠方向または施錠方向に回す駆動手段Ｄとを備えることにより、アダプター本体Ａをドアのサムターン錠ＳのつまみＬに係合手段Ｃを係合させて取り付けるだけで、簡単に電気錠を実現できるようにして、ドアを改修しなくとも低コストで電気錠を実現できるようにする。【選択図】　図１
0003097445.tif 000002
【実用新案登録請求の範囲】
【請求項１】
ドアに設けられたサムターン錠のつまみ部分に嵌まるコの字型を有する係合手段と、その係合手段を解錠方向または施錠方向に回す駆動手段とを備え、前記駆動手段が施錠・解錠信号に基づき係合手段を回動して施錠と解錠を行う電気錠アダプター。
【請求項２】
上記電気錠アダプターが係合手段と駆動手段とを備えたアダプター本体と、前記アダプター本体へ施錠・解錠信号を送信するリモコンとで構成された電気錠アダプター。
【請求項３】
上記アダプター本体を係止手段によってドアに着脱自在に取り付けられるようにした請求項１または２に記載の電気錠アダプター。
【請求項４】
上記係止手段が、両面テープである請求項３に記載の電子錠アダプター。
【請求項５】
上記係止手段が、ドア面に取り付けられる取り付けフレームと、前記フレームに係合する突起をアダプター本体に設けて、アダプター本体をドアに着脱自在に取り付けられるようにした請求項３に記載の電気錠用アダプター。
【請求項６】
上記リモコンが赤外線送信手段を有し、リモコン側で所定幅の確認パルスを送信したのち、予め施錠・解錠信号として決められた数のパルスを所定時間内に送信し、
一方、アダプター本体に赤外線受信手段を備えて、確認パルスを受信すると、受信パルスの計数を開始して、受信したパルスの数に基づいて施錠・解錠信号をデコードし、施錠と解錠を行う請求項２乃至５のいずれかに記載の電気錠アダプター。
【考案の詳細な説明】
【０００１】
【考案の属する技術分野】
この考案は、サムターン錠の施錠と解錠を電動化できるようにした電気錠アダプターに関する。
【０００２】
【従来の技術】
電気錠は、錠箱に内蔵した電磁ソレノイドや電動モータを、遠隔操作して施錠及び解錠操作をできるようにしたものである。
【０００３】
すなわち、電磁ソレノイドを使用したものは、例えば、サムターンや鍵によって回動するシリンダ錠とラッチボルトとを係合片で連結し、その係合片を電磁ソレノイドで動かすことにより施錠と解錠とを行う構造となっている。
【０００４】
一方、電動モータを使用したものは、例えば、サムターン錠のデッドボルトにラックギヤを形成し、このラックギヤと電動モータを減速ギヤを介して接続し、電動モータを正逆回転させることにより、デッドボルトを進退させて施錠と解錠とを行う構造となっている。
【０００５】
このように、通常のドアの錠とは構造が違うため、既設のドアで電気錠を使用するためには既設のもの（錠箱、サムターン錠．．．等々）を全て撤去し、取り替えねばならなかった。
【０００６】
【考案が解決しようとする課題】
しかしながら、上記のように、既設の錠等をそっくり電気錠に取り替えるのでは費用が嵩む。
【０００７】
また、取り付ける電気錠と通常のドアの錠とは、構造が違うので形状もおのずと違う。したがって、ドアを改修して、一旦、電気錠に取り替えてしまうと、取り替える前の状態に戻すことが難しくなり、特に、賃貸住宅などでは転居等で引っ越す際に困ってしまう問題がある。
【０００８】
そこで、この考案の課題は、電気錠を低コストで実現し、かつ、転居などの際も前の状態に復帰できるようにすることである。
【０００９】
【課題を解決するための手段】
上記の課題を解決するため、この考案では、ドアに設けられたサムターン錠のつまみ部分に嵌まるコの字型を有する係合手段と、その係合手段を解錠方向または施錠方向に回す駆動手段とを備え、前記駆動手段が施錠・解錠信号に基づいて係合手段を回動して施錠と解錠を行うという構成を採用したのである。
【００１０】
このような構成を採用することにより、コの字型係合手段は、ドアのサムターン錠のつまみ部分に嵌めることができる。そのため、係合手段を駆動手段が施錠・解錠信号に基づいて解錠あるいは施錠方向へ回転すると、ドアの施錠・解錠ができる。したがって、ドアを改修しなくともよいので低コストで電気錠を実現できる。
【００１１】
このとき、上記電気錠アダプターが係合手段と駆動手段とを備えたアダプター本体と、前記アダプター本体へ施錠・解錠信号を送信するリモコンとからなる構成を採用することができる。
【００１２】
このような構成を採用することにより、解錠・施錠の操作をリモコン（リモートコントローラー）で行える。
【００１３】
また、このとき、上記アダプター本体を係止手段によってドアに着脱自在に取り付けられるようにした構成を採用することもできる。
【００１４】
このような構成を採用することにより、アダプター本体をドアに着脱できるので、アダプター本体をドアに取り付ければ、ドアの錠を簡単に電気錠にすることができる。また、アダプター本体をドアから取り外せば、取り付け前の状態に戻すことができる。
【００１５】
その際、上記係止手段が、両面テープである構成としたり、上記係止手段が、ドア面に取り付けられる取り付けフレームと、前記フレームに係合する突起をアダプター本体に設けて、アダプター本体をドアに着脱自在に取り付けられるようにした構成を採用することができる。
【００１６】
また、このとき、上記リモコンが赤外線送信手段を有し、リモコン側で所定幅の確認パルスを送信したのち、予め施錠・解錠信号として決められた数のパルスを所定時間内に送信し、一方、アダプター本体に赤外線受信手段を備えて、確認パルスを受信すると、受信パルスの計数を開始して、受信したパルスの数に基づいて施錠・解錠信号をデコードし、施錠と解錠を行う構成を採用することができる。
【００１７】
このような構成を採用することにより、施錠や解錠のため所定時間内に送信しなければならないパルスの組合せは、従来の赤外線リモコンよりも遙に多くできるし、その組合せもパルスの数を変えるだけでよいので、セキュリティの高い錠前システムを構築できる。
【００１８】
【考案の実施形態】
以下、この考案の実施形態を図面に基づいて説明する。
【００１９】
この形態の電気錠アダプターは、図１で示すように、アダプター本体ＡとリモコンＲとで構成されている。
【００２０】
アダプター本体Ａは、サムターン錠Ｓとの係合手段Ｃと、その駆動手段Ｄを備えたもので、前記係合手段Ｃと駆動手段Ｄを、図１のように、底面パネルＰＢ上にサブパネルＰＳを設けて取り付け、これらをカバーケースＣＣで被った構造となっている。
【００２１】
底面パネルＰＢは、図１のように、ネジ止め用の係止部ａと、半円形の切欠ｂを設けたパネルに電池ケースＢＣを設けた構造となっている。
【００２２】
ネジ止め用の係止部ａは、上下のパネル端を手前側（この図では）に折り曲げて、サブパネルＳの固定用のネジ孔ｄとカバーケースＣＣの固定用のネジ孔ｅとを形成したもので、サブパネルＰＳとカバーケースＣＣを、それぞれ、ネジ止めするようになっている。
【００２３】
半円形の切欠ｂは、図１では、底面パネルＰＢの右下方に設けており、その大きさはサムターン錠Ｓのシリンダ外周に合致するように形成してある。
【００２４】
電池ケースＢＣは、底面パネルＰＢの左側の箱形のもので、乾電池を入れるようになっている。
【００２５】
また、この形態では、底面パネルＰＢの底面側（外側）は接合面となっており、接合面に係止手段として図２のように、両面テープＴを取り付けて室内側のドア面に取り付けるようになっている。
【００２６】
サブパネルＰＳは、図１のように「コ」の字型をしたもので、「コ」の字型の折曲部ｇに貫通孔ｆを設けて、底面パネルＰＢの係止部ａにネジ止めできるようにしており、その折曲部ｇに挟まれた水平部分に係合手段Ｃと駆動手段Ｄ及び施錠・解錠センサスイッチＳＥａ、ＳＥｂと制御回路Ｂを取り付ける構造となっている。
【００２７】
また、前記折曲部ｇは、底面パネルＰＢへの取り付けだけに用いているのではなく、サブパネルＰＳの高さを決めるためのスペーサとしても用いており、その高さはサムターン錠ＳのつまみＬに係合手段Ｃを取り付けられる寸法に決めている。
【００２８】
係合手段Ｃは、図３（ａ）、（ｂ）に示すように、コの字型の係合部ｃ１の中心に軸ｃ２を取り付けたもので、係合部ｃ１のコの字の溝はサムターン錠ＳのつまみＬが嵌まる幅と深さに形成されている。このとき、係合部ｃ１を例えば、弾性のある金属や樹脂などで形成し、溝の幅を少し小さめに形成しておけば、サムターン錠ＳのつまみＬの部分の大きさが少し違っていても、圧入すればしっかりと係合できるので好ましい。
【００２９】
この係合手段Ｃの軸ｃ２は駆動手段Ｄに連結されるようになっている。駆動手段Ｄは、この形態の場合、小型のＤＣモータＭを使用したもので、例えばモータＭは図３（ｂ）のように、ギヤーボックスＧを介して係合手段Ｃの回転軸ｃ２と接続されている。一方、モータＭは制御回路Ｂと接続されている。
【００３０】
また、この係合手段Ｃには、施錠・解錠センサスイッチＳＥａ、ＳＥｂが取り付けられている。施錠・解錠センサスイッチＳＥａ、ＳＥｂは、この形態では、２個のマイクロスイッチを用いたもので、図４に示すように、一方のマイクロスイッチＳＥａをサムターン錠ＳのつまみＬの施錠位置に配置し、他方のマイクロスイッチＳＥｂを同つまみＬの解錠位置に配置して、その出力を制御回路Ｂへ入力している。
【００３１】
制御回路Ｂは、例えば図５に示すように、赤外線受光手段１０、受信準備信号発生手段１１、タイマ手段１２、計数手段１３、比較手段１４とで構成されている。
【００３２】
これらの回路（赤外線受光手段１０を除く）１１〜１４は、赤外線受光手段１０と接続されたワンショットのリトリガブルタイマＩＣ１５と、そのタイマＩＣ１５の出力でもって電源と前記回路１１〜１４とを接続するリレー回路１６とで構成される電源管理手段１７と接続されており、電源管理手段１７は受光手段１０が、後述のリモコンＲからの信号を受信すると作動して、所定時間の間電源を供給するようになっている。こうすることで省電力化を図り、長期間のバッテリー駆動ができるようにしてある。
【００３３】
赤外線受光手段１０は、ここでは、赤外線フォトトランジスタを用ている。しかし、これに限定されるものではなく、例えば、ピン・フォトダイオードなど他の赤外線センサでも構わない。
【００３４】
受信準備信号発生手段１１は、この形態の場合、時定数回路でもって後述のリモコンＲの送信確認パルスよりも幅の狭いリセットパルスを発生するようにしたもので、タイマＩＣなどで構成している。
【００３５】
タイマ手段１２は、ここでは、時定数回路で設定された幅のパルスを出力するタイマＩＣを使用しており、タイマＩＣは、電源が供給されると計時を開始して「Ｈ」出力となる。一方、タイムアップすると出力は「Ｌ」となる。
【００３６】
計数手段１３は、この形態の場合、リセット（クリア）入力ＲＳ、イネーブル入力ＥＮ、クロック入力ＣＬを備えたバイナリーカウンタ（リモコンＲも同じ１６ｂｉｔ）を用いている。そして、バイナリーカウンタのリセットＲＳ入力と受信準備信号発生手段１１の出力とを接続し、受信準備信号発生手段１１からのリセットパルスで計数値をクリアできるようになっている。また、計数手段１３のイネーブル入力ＥＮとタイマ手段１２の出力とを接続し、タイマ手段１２の出力が「Ｈ」の場合にのみ（クリア入力ＣＬが優先なので、クリア入力ＣＬが「Ｌ」となったのち）計数ができるようになっている。さらに、計数手段１３のクロック入力ＣＬと、受光手段１０とをシュミット回路１８を介して接続することにより、受信パルスをカウントするようになっている。
【００３７】
比較手段１４は、設定スイッチ１４ａとＡＮＤ回路１４ｂとで構成したもので、プルアップしたＡＮＤ回路１４ｂの入力を設定スイッチ１４ｂを介して計数手段１３のカウント出力と接続することにより、設定スイッチ１４ａをオフにしたとき、ＡＮＤ回路１４ｂの入力は「Ｈ」となる。また、オンにした設定スイッチ１４ａに接続されたカウンタ出力が全て「Ｈ」になるとＡＮＤ回路１４ｂの出力は「Ｈ」となるので、設定スイッチ１４ａで設定されたカウント数に達すると、ＡＮＤ回路１４ｂの出力は「Ｈ」となり、それ以外は「Ｌ」となる。これにより、設定値との比較ができる。この比較手段１４のＡＮＤ回路１４ｂの出力は、ＯＲ回路１９を介してスリーステートバッファ２０ａに入力するようになっている。
【００３８】
また、この形態では、リモコンＲで設定した施錠パルスと対応させるため、計数手段１３のカウンタの最上位出力をＯＲ回路１９に直接入力すると同時に、最上位出力をスリーステートバッファ２０ｂへ直接入力している。
【００３９】
このスリーステートバッファ２０ａと２０ｂは、スリーステート入力をタイマ手段１２のＩＣ出力と接続されており、ＩＣ出力が「Ｈ」を出力している期間、すなわち、計数と比較の期間は、スリーステートバッファ２０ａと２０ｂの出力をハイインピーダンスに保持するようになっている。そして、タイマ手段１２の出力が所定の計数期間を過ぎて「Ｌ」になると、スリーステート入力が「Ｌ」になって、スリーステートバッファ２０ａと２０ｂが比較した結果の出力あるいはカウントした最上位の出力を行うようになっている。
【００４０】
このように、出力タイミングを取ることにより、計数の途中で判別された出力が出ないようにして誤動作を防ぐようにしてある（ゲーティング）。
【００４１】
このスリーステートバッファ２０ａと２０ｂの出力は、施錠・解錠センサスイッチＳＥａ、ＳＥｂを介してモータＭのドライブＩＣ２３に入力するようになっており、施錠・解錠センサスイッチＳＥａ、ＳＥｂはサムターン錠ＳのつまみＬが施錠あるいは解錠位置に達するとオフになり、ドライブＩＣ２３への入力を遮断して停止させる。
【００４２】
ちなみに、図５の符号２２は、切り替えスイッチで、サムターン錠Ｓへの取り付け位置に応じて（図１では、アダプター本体Ａをサムターン錠Ｓの左側に取り付けているが、１８０°回転させて右側に付けられるようにもできる）モータＭの回転方向を設定できるようにするためのものである。
【００４３】
また、ドライブＩＣ２３は、例えば、この形態では図５のような、エミッタフォロワブリッジ接続のものを使用しているが、この他にも図示はしていないがコレクタフォロワブリッジ接続などの単一電源で可逆制御のできるものを使用するのが好ましい（バッテリー駆動に対応させるため）。
【００４４】
カバーケースＣＣは、図１のような箱型のもので、底面パネルＰＢの切欠ｂの部分も被うことができる大きさのものである。このケースＣＣの正面には小さな受光窓Ｗが設けられており、この窓Ｗには、制御回路Ｂで述べた赤外線受光手段１０、ここでは、赤外線フォトトランジスタが臨むようになっている。また、カバーケースＣＣの上部に貫通孔が設けられており、その貫通孔にネジを挿通して底面パネルＰＢのネジ孔ｅに固定するようになっている。
【００４５】
一方、リモコンＲは、図１に示すように、解錠スイッチ１ａと施錠スイッチ１ｂ及び送信窓ＳＤとを備えたもので、内部には、送信確認パルス発生手段２、送信パルス発生手段３、発光手段４の各手段を備えている。
【００４６】
前記解錠スイッチ１ａと施錠スイッチ１ｂは、この形態では、それぞれ２回路がリンクされたノンロック方式の押しボタンスイッチを用いており、図６のように、１回路を電源（バッテリー）と接続して、どちらかのスイッチ１ａ、１ｂを押すと回路に電源が供給されるようになっている。
【００４７】
送信窓ＳＤは、この形態では図１に示すように、リモコンＲの中央部に設けており、透光性の樹脂で被ってこの窓ＳＤに臨む発光手段（赤外線ＬＥＤ）４を保護するようになっている。
【００４８】
送信確認パルス発生手段２は、この形態では、コンデンサと抵抗とを直列に接続したタイマ回路（初期信号発生タイマ）を用いたもので、タイマ出力（リセット出力）を信号混合回路（ＯＲ回路）５を介して発光手段４のドライブトランジスタへ入力することにより、所定幅のパルス（図９のＴ１参照）を出力できるようにしてある。なお、ここでは、ＣＲによるタイマ回路を用いたが、これに限定されるものではなく、カウンタやシフトレジスタあるいはマイコンを用いたものでも構わない。
【００４９】
送信パルス発生手段３は、発振回路６、計数回路７、設定回路８と一致回路９とで構成されている。
【００５０】
発振回路６は、ロジックＩＣを用いたもので、電源が供給されるとフリーランするようになっている。また、発振回路６の出力は、ＯＲ回路５を介して発光手段４のドライブ用トランジスタに直接入力されると同時に、計数回路７にも入力してある。
【００５１】
計数回路７は、バイナリーカウンタを直列に接続したもので、カウンタの各バイナリー出力は、設定回路８のスイッチの一方の端子に接続されている。前記設定回路８のスイッチは、例えば、ディプスイッチなどを用いてもよく、このスイッチの他方の端子をプルアップして、一致回路を構成するＡＮＤ回路９ａ、９ｂの入力に接続してある。そのため、ＡＮＤ回路９ａ、９ｂの入力には、設定回路８の各スイッチをオフにすると、「Ｈ」レベルが入力するようになっている。
【００５２】
また、ＡＮＤ回路９ｂの出力は、ＡＮＤ回路９ａの入力の一つに接続されており、そのため、ＡＮＤ回路９ａの出力は、ＡＮＤ回路９ｂの論理積出力が「Ｈ」で、かつ、ＡＮＤ回路９ａの入力が全て「Ｈ」の場合に「Ｈ」となる。
【００５３】
すなわち、スイッチをオフにしたＡＮＤ回路９ａ、９ｂ入力は「Ｈ」となるので、オンにしたスイッチに接続されたカウンタ出力が全て「Ｈ」になるとＡＮＤ回路９ａ、９ｂの出力は「Ｈ」となる。そのため、各設定回路８のスイッチの設定で、ＡＮＤ回路９ａが「Ｈ」出力となるカウント数を自由に決めることができる。また、ＡＮＤ回路９ａ出力は、解錠スイッチ１ａに接続されているため、その出力は解錠スイッチ１ａを介してＯＲ回路５に出力され、ＯＲ回路５の出力を「Ｈ」に保つ。よって、ＯＲ回路５が「Ｈ」になるまでの間に設定された数のパルスを発光手段４へ出力できるようになっている。
【００５４】
また、このとき、発光手段４は、解錠スイッチ１ａを押し続けると点灯状態を保ち、放すとＯＲ回路５への出力が遮断され、回路への電源の供給もストップする（省電力）。
【００５５】
一方、施錠スイッチ１ｂを押した場合には、施錠スイッチ１ｂは、ここでは、計数回路７のバイナリーカウンタの最上位のキャリー出力とＯＲ回路５とを接続する構成となっているので、キャリー出力が「Ｈ」レベルになるまでの間のパルスを発光手段４から出力する。そして、この場合も同様に、施錠スイッチ１ｂを押し続けると発光手段４は点灯状態を保ち、放すとＯＲ回路５への出力が遮断され、回路への電源の供給もストップして発光手段４は消灯する。
【００５６】
この形態は上記のように構成されており、アダプター本体Ａは、底面パネルＰＢにサブパネルＰＳを取り付け、ケースカバーＣＣを取り付けた状態で提供される。そのため、例えば、底面パネルＰＢの両面テープＴを接着状態（離ケイ紙を剥がした状態）にして、アダプター本体Ａの係合手段Ｃの係合部（コの字型）ｃ１を既設のドアのサムターン錠のレバーＬに嵌めつつドアに押しつけて取り付ける（図３（ａ）、（ｂ）参照）。
【００５７】
これで、ドアへの取り付けは完了する。また、必要があれば（デフォルト値を変えたければ）、アダプター本体ＡとリモコンＲの設定手段１４ａ、８によって、予め「キー」となるパルスの数を設定しておく。この設定は、スイッチでできるので簡単に誰でもできるし、何時でも何回でも気軽に行うことができるので、セキュリティー上も好ましい。
【００５８】
そして、実際に使用する場合は、アダプター本体ＡにリモコンＲを向け、例えば、施錠されたドアを解錠したい場合は、解錠スイッチ１ａを押す。すると、解錠スイッチ１ａがオンとなって電源が供給され、図７に示す信号の流れのように、送信確認パルス発生手段２であるタイマ回路（図では初期信号発生回路）が作動して、図９のように所定幅の送信確認パルスＴ１を出力する。このパルスＴ１は、ＯＲ回路（図７では信号混合回路）５を介して発光手段４に入力されているので、そのまま発光手段４から出力される。一方、この送信確認パルスＴ１は、送信パルス発生手段３の計数回路７に入力し、計数回路７をリセットする。そのため、計数回路７は、送信確認パルスＴ１が終了すると、発振回路６から出力されるパルスをカウントし、このとき、パルスのカウントによってカウントアップされる計数回路７の出力は、ＡＮＤ回路９ａ、９ｂを用いた一致回路９によって設定スイッチ８で設定された値と比較される。そして、設定値と一致しない場合はカウントを続け、一致するとＡＮＤ回路出力９ａは「Ｈ」となり、解錠スイッチ１ａを介してＯＲ回路５の出力は「Ｈ」となって発光手段４は点灯状態（解錠スイッチ１ａを押し続けると点灯状態となり、放せば電源Ｂが遮断されて回路はオフとなる）となる。この間、発振回路６が発振するパルスはＯＲ回路５に出力されており、ＯＲ回路５を介して発光手段４を駆動して、図９に示すように、所定の数のパルス信号を送信する事ができる。
【００５９】
一方、アダプター本体Ａは、受光手段１０が信号を受信すると、図８に示すように、受信した信号をトリガ信号として電源管理手段１７のタイマＩＣ１５が作動して回路に電源を供給する。電源が供給されると、受信準備信号発生手段１１のタイマＩＣが送信確認信号Ｔ１より幅の狭いパルスＴ２を発生する（図９参照）。このように、送信確認信号より幅の狭いパルスＴ２を発生して計数手段１３をリセットすることにより、この後に受信した信号パルスを受け付けられるようにする。同時に、タイマ手段１２のタイマＩＣが作動し、所定幅のパルスＴ３を出力して計数手段１３がパルスを受け付けられるようにする。このため、計数手段１３は、受光手段１０が受信して、増幅、波形整形（シュミット回路）されたパルスをカウントする。このカウント出力は、設定スイッチ１４ａの設定値と一致するか比較手段１４のＡＮＤ回路１４ｂによって比較されており、一致した場合はＡＮＤ回路１４ｂから「Ｈ」レベルが出力される。そして、この出力は、タイマ手段１２がタイムアップすると、そのパルスＴ４でスリーステートバッファ２０ａが有効となって、ＡＮＤ回路１４ｂ出力をモータドライブＩＣ２３へ入力する。このとき、前記タイムアップの時点で、計数値が設定値と一致している場合は、「Ｈ」レベルが出力されるため、モータドライブＩＣ２３がモータＭを作動して係合手段Ｃを回動するため、解錠することができる。一方、タイムアップ時点で、計数値が設定値と一致していない場合は、出力は「Ｌ」レベルとなるため、モータドライブＩＣ２３は作動せず施錠状態を維持する。
【００６０】
また、ドアを施錠したい場合は、先の解錠の場合と同様に、アダプター本体ＡにリモコンＲを向けて、施錠スイッチ１ｂを押せば、施錠スイッチ１ｂがオンとなって電源が供給され、図１０のように、受信準備信号発生手段１２から送信確認信号Ｔ１が出力される。この信号は、ＯＲ回路５を介して発光手段４に入力され出力される。また、この送信確認信号Ｔ１によって、計数回路７はリセットされる。そして、リセットされた計数回路７は、送信確認信号Ｔ１の終了から発振回路６のパルスをカウントし、カウントアップされた計数回路７の出力は、ＡＮＤ回路９ａを用いた一致回路９により設定値と比較される。そして、比較された計数値が設定値と一致すると、ＡＮＤ回路９ａ出力は「Ｈ」となってＯＲ回路５の出力により、発光手段４は点灯状態（施錠スイッチ１ａを押し続けると点灯状態、放せば電力が遮断されて回路はオフとなる）となる。この間、発振回路６の発振パルスはＯＲ回路５に出力されており、ＯＲ回路５を介して発光手段４を駆動して所定の数のパルス信号が送信される。
【００６１】
一方、アダプター本体Ａでは、解錠の場合のときと同じく、受光手段１０が信号を受信すると、電源管理手段１７のタイマＩＣ１５が作動して回路に電源を供給し、図１０のように、受信準備信号発生手段１２のタイマＩＣが送信確認信号Ｔ１より幅の狭いパルスＴ２を発生する。そのため、タイマ手段１２のタイマＩＣが作動して所定幅のパルスＴ３を出力すると、計数手段１３は受光手段１０が受信するパルスのカウントを開始する。そして、その計数手段１３の出力がカウントアップして最上位の出力が「Ｈ」レベルになり、その出力でタイマ手段１２がタイムアップすると、スリーステートバッファ２０ａ、２０ｂの出力が有効になってモータドライブＩＣ２３に入力されるため、モータＭが作動して係合手段Ｃを回動するため施錠できる。その際、タイムアップ時点で、計数値が設定値と一致していない場合は、出力は「Ｌ」レベルとなるため、モータドライブＩＣ２３は作動せず解錠状態を維持する。
【００６２】
なお、このように、施錠の場合に比較手段１４を用いないのは、解錠の場合と違って、設定値と違う信号が入力した場合でも施錠しておけば、セキュリティー上問題が無いためであり、設定回路１４ａのコストも低減できるからである。
【００６３】
また、このように、このアダプターでは、所定時間内の送信パルス数で識別することができるので、例えば、送信パルスの周波数を変えれば、パルスを計数する所定期間内の設定パルス数を自由に設定することができる。したがって、「キー」となるパルスの設定数を多数準備することができるので、「キー」を見つけ出すのは容易ではなく、強固なセキュリティーを構築することができる。
【００６４】
また、このとき、信号の受信からモータの駆動までにＴ２〜Ｔ４の期間を必要とするようにしてあるので、この間に新しい信号は受け付けない。そのため、不正信号を連続発振してパルス数を一致させようとしても一回のトライにＴ２〜Ｔ４の期間が必要であり、そのような試みをしようとしても時間が掛かり過ぎるため、不正な解錠や解錠パルスの解析は難しい。
【００６５】
ちなみに、このように、キーとなるパルスの設定数を多数準備することができるので、このキーを利用すれば、識別に用いることもできる。
【００６６】
このように、アダプター本体Ａをドアにワンタッチで取り付けて、係合手段Ｃをサムターン錠ＳのつまみＬと係合させるだけで、簡単に電気錠を実現できる。
【００６７】
また、その際、サムターン錠Ｓを交換などしなくてもアダプター本体Ａをドアに取り付けるだけでよいので、低コスト電気錠をで実現できる。
【００６８】
さらに、アダプター本体Ａをドアに取り付けるだけなので（錠を取り替えないので）、取り付け前の状態への復帰も簡単にできる。
【００６９】
次に、第２実施形態として、図１１にアダプター本体Ａを取り付け枠ＦＡを介してドアに取り付けるようにしたものを示す。
【００７０】
すなわち、図１１のように取り付け枠ＦＡをドアに取り付け、この枠ＦＡにアダプター本体Ａを取り付るようにしたものである。この形態では、アダプター本体Ａの底面パネルＰＢに係止用の突起ＰＰを設け、その突起ＰＰに例えば図１２のように係合する孔Ｈを取り付け枠ＦＡに設けてある。
【００７１】
また、ここでは、取り付け枠ＦＡは接合面に両面テープＴを設けてあるが、これ以外にも貫通孔Ｈを設けてネジ止めできるようにもしてもよい。
【００７２】
このようにすることにより、アダプター本体Ａのドア面への取り付けと取り外しが極めて容易にできる。また、取り付け枠ＦＡをサムターン錠Ｓに対してきちんと位置決めをしてドアに取り付ければ、その枠ＦＡにアダプター本体Ａを取り付けるだけで、アダプター本体Ａの係合手段Ｃをサムターン錠ＳのつまみＬに係合させることができるので、第１実施形態のものに比べて取り付けミスを防止できる。
【００７３】
このように、簡単に電気錠を実現できる。また、取り付け前に近い状態への復帰（ネジ止めの場合でも小さなネジ孔を設けるだけなので）も簡単にできる。
【００７４】
なお、この形態では、リモコンを用いたものを示したが、これに限定されるものではなく、リモコンを用いないで、電気錠アダプターに施錠・解錠スイッチを直接設けたものでも良い。
【００７５】
また、この形態では、リモコンに赤外線を用いたものを示したが、これに限定されるものではなく、これ以外に、例えば、無線や超音波などどのようなものであってもよいし、有線であるものでも良い。
【００７６】
また、この形態では、駆動手段にモータを用いたものを示したが、これに限定されるものではない。例えば、電磁ソレノイドを用いたものでも良く、これ以外に、サムターンのつまみを動かせるものであればどのようなものであっても良い。
【００７７】
【考案の効果】
この考案は、以上のように構成したことにより、電気錠を低コストで、かつ、取り付け前の状態への復帰も容易にできる電気錠システムを実現できる。
【図面の簡単な説明】
【図１】第１実施形態の分解斜視図
【図２】図１の要部の分解斜視図
【図３】（ａ）図１の断面図
（ｂ）（ａ）のＩＩｂ−ＩＩｂ断面図
【図４】図３（ａ）のＩＩＩ　−ＩＩＩ　断面図
【図５】第１実施形態の回路図
【図６】第１実施形態の回路図
【図７】第１実施形態の信号の流れ図
【図８】第１実施形態の信号の流れ図
【図９】第１実施形態のタイムチャート
【図１０】第１実施形態のタイムチャート
【図１１】第２実施形態の作用図
【図１２】第２実施形態の要部の断面図
【符号の説明】
Ａ　アダプター本体
Ｂ　制御回路
Ｃ　係合手段
Ｄ　駆動手段
Ｌ　サムターンつまみ
Ｔ　両面テープ
Ｍ　モータ
Ｓ　サムターン錠
ＦＡ　取り付け枠
ＰＰ　突起
【図１】
0003097445.tif 000003
【図２】
0003097445.tif 000004
【図３】
0003097445.tif 000005
【図４】
0003097445.tif 000006
【図５】
0003097445.tif 000007
【図６】
0003097445.tif 000008
【図７】
0003097445.tif 000009
【図８】
0003097445.tif 000010
【図９】
0003097445.tif 000011
【図１０】
0003097445.tif 000012
【図１１】
0003097445.tif 000013
【図１２】
0003097445.tif 000014
【手続補正書】
【提出日】平成15年6月17日(2003.6.17)
【手続補正２】
【補正対象書類名】明細書
【補正対象項目名】実用新案登録請求の範囲
【補正方法】変更
【補正の内容】
【実用新案登録請求の範囲】
【請求項１】
ドアに設けられたサムターン錠のつまみ部分に嵌まるコの字型を有する係合手段と、その係合手段を解錠方向または施錠方向に回す駆動手段とを備え、前記駆動手段が施錠・解錠信号に基づき係合手段を回動して施錠と解錠を行う電気錠アダプター。
【請求項２】
上記係合手段と駆動手段とを備えたアダプター本体と、前記アダプター本体へ施錠・解錠信号を送信するリモコンとで構成された請求項１に記載の電気錠アダプター。
【請求項３】
上記アダプター本体を係止手段によってドアに着脱自在に取り付けられるようにした請求項２に記載の電気錠アダプター。
【請求項４】
上記係止手段を、両面テープとした請求項３に記載の電子錠アダプター。
【請求項５】
上記係止手段を、ドア面に取り付けられる取り付けフレームと、前記フレームに係合するアダプター本体に設けた突起とで構成し、アダプター本体をドアに着脱自在に取り付けられるようにした請求項３に記載の電気錠アダプター。
【請求項６】
上記リモコンが赤外線送信手段を有し、リモコン側で所定幅の確認パルスを送信したのち、予め施錠・解錠信号として決められた数のパルスを所定時間内に送信し、
一方、アダプター本体に赤外線受信手段を備えて、確認パルスを受信すると、受信パルスの計数を開始して、受信したパルスの数に基づいて施錠・解錠信号をデコードし、施錠と解錠を行う請求項２乃至５のいずれかに記載の電気錠アダブター
【手続補正３】
【補正対象書類名】明細書
【補正対象項目名】００１１
【補正方法】変更
【補正の内容】
【００１１】
このとき、上記係合手段と駆動手段とを備えたアダプター本体と、前記アダプター本体へ施錠・解錠信号を送信するリモコンとからなる構成を採用することができる。


【手続補正４】
【補正対象書類名】明細書
【補正対象項目名】００１５
【補正方法】変更
【補正の内容】
【００１５】
その際、上記係止手段が、両面テープである構成としたり、上記係止手段を、ドア面に取り付けられる取り付けフレームと、前記フレームに係合するアダプター本体に設けた突起とで構成し、アダプター本体をドアに着脱自在に取り付けられるようにした構成を採用することができる。